(57)【要約】      （修正有）【課題】プラグパーツが収納槽から外れるのを防ぎ、安全性を増加させる取替式変換アダプタプラグ構造を提供する。【解決手段】取替式変換アダプタプラグ構造は、電子装置１０と、電子装置上のブレードユニット１３に取り付ける取替式プラグパーツ２０を備える。ブレードユニットは枢転可能で、収納槽１２の内部に収納されるか、収納槽から突出する。収納槽内の任意の壁面に固定溝１２２を備える。取替式プラグパーツの差込部２２は変換プラグブレードユニット２３と電気的に接続する電気接点を備え、プラグパーツ本体２１は固定溝に対応する位置に固定ユニット２４を備える。差込部が差込口１２１から収納槽の内側に挿入されるとき、変換プラグブレードユニットがブレードユニットと電気的に接続し、固定ユニットを固定溝に差し込むことでプラグパーツ本体が差込口から抜け出てしまうのを防止する。【選択図】図２
0003230503.tif 000002
【実用新案登録請求の範囲】
【請求項１】
取替式変換アダプタプラグ構造であって、
装置本体と、前記装置本体上に設置される収納槽と、前記装置本体に枢設されるブレードユニットと、を備える電子装置と、
プラグパーツ本体と、前記プラグパーツ本体の一方に設置される差込部と、前記プラグパーツ本体のもう一方に設置される変換プラグブレードユニットと、を備える取替式プラグパーツと、を備え、
前記収納槽はその任意の壁面に固定溝を有し、
前記差込部は前記ブレードユニットと電気的に接続するための電気接点を有し、
前記プラグパーツ本体は前記固定溝に対応する位置に固定ユニットを有し、
前記ブレードユニットは枢転して前記収納槽内側に収納させるか前記収納槽から突出させることができ、収納される時は前記収納槽の一方にある差込口側を向き、
前記差込部は前記差込口から前記収納槽の内側に挿入され、前記電気接点が前記収納槽内のブレードユニットと接触することで電気的に接続し、前記固定ユニットを前記固定溝に差し込むことで前記プラグパーツ本体が前記差込口から抜け出てしまうのを防止することを特徴とする取替式変換アダプタプラグ構造。
【請求項２】
前記収納槽は、両側の壁面に前記差込口の方向を向いて一つ以上の差込溝が設置され、前記プラグパーツ本体の前記差込部の両側にはそれぞれ、前記差込溝に嵌め込むガイド突起を備えることを特徴とする請求項１に記載の取替式変換アダプタプラグ構造。
【請求項３】
前記固定溝は、前記収納槽の前記差込口に近い側の壁面に設置され、前記固定ユニットは、前記プラグパーツ本体の上面付近の位置に設置されることを特徴とする請求項１に記載の取替式変換アダプタプラグ構造。
【請求項４】
前記固定ユニットは、前記プラグパーツ本体上面に連結する可動式のスライド固定パーツと、前記スライド固定パーツの片側に設置される固定部を備え、前記固定部が前記固定溝に差し込まれることで前記取替式プラグパーツを固定することを特徴とする請求項３に記載の取替式変換アダプタプラグ構造。
【請求項５】
前記固定部は、前記固定溝に対応する突起又はフックであることを特徴とする請求項４に記載の取替式変換アダプタプラグ構造。
【請求項６】
前記プラグパーツ本体の上部には、スライド溝と、前記スライド溝の両側にそれぞれ設置されるガイド溝を備え、前記スライド固定パーツは前記スライド溝上に設置され、前記スライド固定パーツは両側にそれぞれガイド板を有し、前記ガイド板は前記スライド溝両側の前記ガイド溝に差し込まれることを特徴とする請求項４に記載の取替式変換アダプタプラグ構造。
【請求項７】
前記スライド固定パーツは、手指で動かすために用いる滑り止めを有することを特徴とする請求項４から請求項６のいずれかに記載の取替式変換アダプタプラグ構造。
【請求項８】
前記滑り止めは、前記スライド固定パーツ上に形成された縞状の突起であることを特徴とする請求項７に記載の取替式変換アダプタプラグ構造。
【考案の詳細な説明】
【技術分野】
【０００１】
本考案は取替式変換アダプタプラグ構造に関するものであり、特に、改良された取替式変換アダプタプラグ構造に関するものである。
【背景技術】
【０００２】
現在、市販されている変換アダプタプラグは多くが台湾特許第Ｍ４７７０８１号のように、絶縁座と、前記絶縁座上に取り付けられたブレードと、前記絶縁座上の前記ブレードの反対側に取り付けられたプラグを挿入するためのコンセント孔を備えるものである。しかし、このような変換アダプタプラグはコンセント孔とプラグを引き抜く方向が同じである水平式の設計が採用されており、通常、プラグを引き抜くとき、変換アダプタプラグが依然として電源コンセントに刺されたままであるという問題が発生し、使用上あまり便利とは言い難い。
【考案の概要】
【考案が解決しようとする課題】
【０００３】
上述の問題を解決するため、垂直挿入式の変換アダプタプラグが設計された。このタイプのプラグの構造は、被変換プラグを変換アダプタプラグに差し込む方向と、変換アダプタプラグを電源コンセントから引き抜く方向が違うため、電源コンセントから引き抜く時、被変換プラグが変換アダプタプラグから外れることはない。しかし、この設計には依然として改良されるべき欠点があり、変換アダプタプラグを引き抜くとき、引き抜く為に与えられる力の方向が前記被変換プラグと変換アダプタプラグの接続方向と同一方向でない場合（特にＡＣアダプタのような装置で）、プラグを引き抜く時に横方向への力が発生しやすく、被変換プラグが変換アダプタプラグから外れてしまう状況を引き起こしかねない。
【課題を解決するための手段】
【０００４】
本考案の目的は、電子装置と、電子装置上のブレードユニットに取り付ける取替式プラグパーツを備えた、取替式変換アダプタプラグ構造を提供することにより、前述の課題を解決しようとするものである。前記電子装置は、装置本体、前記装置本体に設置される収納槽、および前記装置本体に枢設されるブレードユニットを備える。前記ブレードユニットは枢転可能で、収納槽内部に収納されるか、前記収納槽から突出させることができ、前記ブレードユニットが収納される時は前記収納槽の一方にある差込口側を向く。前記収納槽内の任意の壁面には固定溝を備える。前記取替式プラグパーツは、プラグパーツ本体、前記プラグパーツ本体の一方に取り付けられる差込部、および前記プラグパーツ本体のもう一方に取り付けられる変換プラグブレードユニットを備える。前記差込部は前記変換プラグブレードユニットと電気的に接続する電気接点を備え、前記プラグパーツ本体の前記固定溝に対応する位置には固定ユニットが設置される。前記差込部は前記差込口から前記収納槽の内側に挿入され、前記電気接点と前記収納槽内のブレードユニットと接触することで電気的に接続する。また、前記固定ユニットを前記固定溝に差し込むことで前記プラグパーツ本体が前記差込口から抜け出てしまうのを防止する。
【考案の効果】
【０００５】
本考案の取替式変換アダプタプラグ構造は取替式プラグパーツが収納槽から外れるのを防ぎ、製品の安定性と安全性を増加させることが可能である。
【図面の簡単な説明】
【０００６】
【図１】本考案の取替式変換アダプタプラグ構造の外観図である。
【図２】本考案の取替式変換アダプタプラグ構造の構造分解図（一）である。
【図３】本考案の取替式変換アダプタプラグ構造の構造分解図（二）である。
【図４】本考案の取替式変換アダプタプラグ構造の組み立てステップ図（一）である。
【図５】本考案の取替式変換アダプタプラグ構造の組み立てステップ図（二）である。
【図６】本考案の取替式変換アダプタプラグ構造の組み立てステップ図（三）である。
【考案を実施するための形態】
【０００７】
以下、本考案の技術内容を添付図面に従って説明する。なお、これら図面は説明のためのものであるため、実際の比率に従い描かれたものではなく、本考案の技術的範囲を限定するものではない。
【０００８】
以下、本考案の一実施形態を例に挙げて説明する。図１、図２、図３は、本考案の取替式変換アダプタプラグ構造の外観図と、構造分解図（一）および構造分解図（二）である。
【０００９】
本考案の取替式変換アダプタプラグ構造１００は、電子装置１０と、取替式プラグパーツ２０を備える。取替式プラグパーツ２０は電子装置１０のブレードユニット１３に取り付け・取り外しが可能で、電子装置１０のブレードユニット１３を異なる規格の各種電源コンセントに対応したプラグに変換することが可能である。取替式プラグパーツ２０は、アメリカ規格、イギリス規格、オーストラリア規格、イタリア規格、スイス規格、南アフリカ規格、ロシア規格やその他各種プラグ規格などであって良いが、これに限定されない。
【００１０】
電子装置１０は携帯型コンピューター、携帯型バッテリー、携帯ゲーム機、分配器、電源装置、アダプタ、プラグなどやその他任意の電子装置であって良いが、これに限定されない。
【００１１】
電子装置１０は、装置本体１１、装置本体１１に設置される収納槽１２、および装置本体１１に枢設されるブレードユニット１３を備える。ブレードユニット１３は枢転可能で、収納槽１２内部に収納されるか、収納槽１２から突出させることができ、ブレードユニット１３が収納される時は収納槽１２の一方にある差込口１２１側を向く。収納槽１２内の任意の壁面には固定溝１２２を備える。具体的には、ブレードユニット１３は枢軸１３１により、収納槽１２の一方と接合し、ブレードユニット１３が枢転し第一の角度を向く時、ブレードユニット１３は収納槽１２とは平行になる。この時ブレードユニット１３は収納槽１２の内側へと収納することができるので、スペースを取らなくなる。ブレードユニット１３が枢転し第二の角度を向く時、ブレードユニット１３は収納槽１２とは垂直になる。この時、ブレードユニット１３は収納槽１２から突出し、電源コンセントに差し込むことで電気を供給する。ブレードユニット１３は取替式プラグパーツ２０と同様に、各種プラグ規格であって良いが、これに限定されない。
【００１２】
ブレードユニット１３に二段階の切り替え効果をもたらすために、ブレードユニット１３の枢軸１３１は、更に弾性ユニット（コイルばねや板ばねなど、図示せず）を取り付けることも可能である。前記弾性ユニットはブレードユニット１３を慣性により収納と突出の二種の状態の切り替えを行う。前記弾性ユニットは任意の設計であって良く、本考案においてはその範囲を限定しない。
【００１３】
取替式プラグパーツ２０はプラグパーツ本体２１、プラグパーツ本体２１の一方に取り付けられる差込部２２、およびプラグパーツ本体２１のもう一方に取り付けられる変換プラグブレードユニット２３を備える。差込部２２は変換プラグブレードユニット２３と電気的に接続する電気接点を備え（図示せず）、プラグパーツ本体２１の固定溝１２２に対応する位置には固定ユニット２４が設置される。差込部２２は差込口１２１から収納槽１２の内側に挿入され、前記電気接点と収納槽１２内のブレードユニット１３と接触することで電気的に接続する。また、固定ユニット２４を固定溝１２２に差し込むことでプラグパーツ本体２１が差込口１２１から抜け出てしまうのを防止する。このうち、収納槽１２内の両側の壁面には一以上の差込溝１２３が差込口１２１の方向を向いて取り付けられ、プラグパーツ本体２１の差込部２２の両側にはそれぞれ、差込溝１２３に嵌め込むガイド突起２２１を備える。プラグパーツ本体２１の差込部２２が差込口１２１から差込溝１２３に挿入される時、プラグパーツ本体２１は垂直方向（すなわち差込口の方向）に滑り動くが、水平方向（すなわちプラグを引き抜く方向）には固定されている。この時、固定ユニット２４を固定溝１２２に嵌め込むことで、プラグパーツ本体２１を垂直方向（差込口の方向）の動きに干渉させる。これにより、取替式プラグパーツ２０は固定され、ロックを外さない限り電子装置１０から離脱することはなくなる。
【００１４】
可能な実施形態として、構造の設計の合理化のため、固定溝１２２は収納槽１２の差込口１２１に近い側の壁面に備え付けられ、プラグ本体２１上面付近の位置に固定ユニット２４が備えつけられる。実務上は、構造上可能である場合は、固定溝１２２は収納槽１２の差込口１２１に隣接する三方の壁面のうち任意の壁面に取り付けて良いが、これに限定されない。このうち、固定ユニット２４はプラグパーツ本体２１上面に連結する可動式のスライド固定パーツ２４１と、スライド固定パーツ２４１の片側に取り付けられる固定部２４２と、スライド固定パーツ２４１両面にそれぞれ取り付けられるガイド板２４３を備える。プラグパーツ本体２１の上面にはスライド溝２１１と、スライド溝２１１の両側にそれぞれ取り付けられるガイド溝２１２を備える。スライド固定パーツ２４１はスライド溝２１１上に取り付けられ、スライド固定パーツ２４１両側のガイド板２４３を、両側にあるガイド溝２１２内にそれぞれ差し込む。これにより、スライド固定パーツ２４１はスライド溝２１１上を移動することができ、プラグパーツ本体２１にあるスライド溝２１１からスライド固定パーツ２４１が抜け落ちるのを防ぐ。これにより、スライド固定パーツ２４１はスライド溝２１１上をガイド溝２１２に沿って移動し、固定部２４２が固定溝１２２に差し込まれることで、取替式プラグパーツ２０を固定する。可能な実施形態としては、固定部２４２は固定溝１２２に対応して取り付けられた突起やフックであって良いが、これに限定されない。また、動かしやすいように、スライド固定パーツ２４１上には滑り止め２４４が取り付けられる。可能な実施形態としては、滑り止め２４４はスライド固定パーツ２４１上に縞状の突起として形成され、これによりスライド固定パーツの抵抗力を高める。また別の可能な実施形態では、滑り止め２４４は任意の形の突起か、摩擦力のある材質であって良いが、これに限定されない。
【００１５】
上述の実施形態以外で、固定ユニット２４は、例えばボタン型、ダイヤル型、ノブ型など、その他類似の形の固定構造であって良いが、これに限定されない。
【００１６】
図４、図５、図６は、それぞれ順に、本考案の取替式変換アダプタプラグ構造の組み立てステップ図（一）、組み立てステップ図（二）、組み立てステップ図（三）である。
【００１７】
組み立て時、図４が示すように、まずブレードユニット１３を垂直方向に向けて枢転する。ブレードユニット１３の先端は、この時差込口方向を向く。プラグパーツ本体２１の差込部２２両側にあるガイド突起２２１は収納槽１２の差込溝１２３に対応し、これにより差込部２２を収納槽１２内部に差し込む。
【００１８】
続いて、図５が示すように、プラグパーツ本体２１が収納槽１２に差し込まれた時、使用者の指がスライド固定パーツ２４１を動かすのに合わせ、スライド固定パーツ２４１はスライド溝２１１上を移動し、固定部２４２が固定溝１２２に差し込まれることで、取替式プラグパーツ２０を固定する。固定された状態では、プラグパーツ本体２１は収納槽１２内に制限され、プラグパーツ本体２１が差込口１２１から抜け落ちるのを防ぐ。
【００１９】
固定状態を解除する時は、図６が示すように、使用者の指がスライド固定パーツ２４１を動かし、スライド固定パーツ２４１がもう一方側に動くことで、固定部２４２が固定溝１２２から外れ、取替式プラグパーツ２０の固定状態を解除する。
【００２０】
上述のとおり、本考案の取替式変換アダプタプラグ構造は取替式プラグパーツが収納槽から外れるのを防ぎ、製品の安定性と安全性を増加させることが可能である。
【００２１】
以上、本考案について詳細に説明したが、上述したのはあくまでも一実施形態であり、本考案は更に別の態様でも実施でき、その主旨を逸脱しない範囲で種々変更を加え得るものである。
【符号の説明】
【００２２】
１００  取替式変換アダプタプラグ構造
１０  電子装置
１１  装置本体
１２  収納槽
１２１  差込口
１２２  固定溝
１２３  差込溝
１３  ブレードユニット
１３１  枢軸
２０  取替式プラグパーツ
２１  プラグパーツ本体
２１１  スライド溝
２１２  ガイド溝
２２  差込部
２２１  ガイド突起
２３  変換プラグブレードユニット
２４  固定ユニット
２４１  スライド固定パーツ
２４２  固定部
２４３  ガイド板
２４４  滑り止め
【図１】
0003230503.tif 000003
【図２】
0003230503.tif 000004
【図３】
0003230503.tif 000005
【図４】
0003230503.tif 000006
【図５】
0003230503.tif 000007
【図６】
0003230503.tif 000008